(57)【要約】      （修正有）【課題】従来の記念品では表示できない表示態様を与える記念品を提供する。【解決手段】板状の記念品本体３と、開口部３ｃに回転可能に取り付けられている回転板４とを備え、回転板４が、記念事項を示す表示部４Ａを両主面４ａに有する記念品１。記念品本体の開口部３ｃに回転板４が回転可能に取り付けられており、該回転板４が記念事項を示す表示部４Ａを両主面４ａに有するので、両主面４ａに施された２つの記念事項を、回転板を３ｄ−４ｄを軸に回転させるだけで容易にそれぞれの面を表示することができる。【選択図】図１
0003151361.tif 000002
【実用新案登録請求の範囲】
【請求項１】
開口部が設けられている板状の記念品本体と、
前記開口部に回転可能に取り付けられている回転板とを備え、
前記回転板が、記念事項を示す表示部を両主面に有する、記念品。
【請求項２】
前記記念品本体は、前記開口部の内周面に第１，第２の凸部又は凹部を有し、かつ前記回転板は、外周面に第１，第２の凹部又は凹部を有し、
前記回転板が回転する際の回転軸の軸方向の両側に、前記記念品本体の第１，第２の凸部又は凹部と、前記回転板の第１，第２の凹部又は凸部とが配置されており、
前記回転板が回転可能であるように、前記記念品本体の第１，第２の凸部又は凹部が、前記回転板の第１，第２の凹部又は凸部にそれぞれ挿入されている、請求項１に記載の記念品。
【請求項３】
底部材をさらに備え、
前記記念品本体が、前記底部材から上方にのびるように前記底部材に接続されている、請求項１又は２に記載の記念品。
【請求項４】
前記底部材が水平面上に置かれたときに、前記記念品本体は、前記開口部の上方の内周面に第１の凸部又は凹部と、前記開口部の下方の内周面に第２の凸部又は凹部とを有し、かつ前記回転板は、上方の外周面に第１の凹部又は凸部と、下方の外周面に第２の凹部又は凸部とを有し、
前記回転板が回転する際の回転軸の軸方向の両側に、前記記念品本体の第１，第２の凸部又は凹部と、前記回転板の第１，第２の凹部又は凸部とが配置されており、
前記回転板が回転可能であるように、前記記念品本体の第１，第２の凸部又は凹部が、前記回転板の第１，第２の凹部又は凸部にそれぞれ挿入されている、請求項３に記載の記念品。
【請求項５】
前記記念品本体が、記念事項を示す表示部を少なくとも一方の主面に有する、請求項１〜４のいずれか１項に記載の記念品。
【考案の詳細な説明】
【技術分野】
【０００１】
本考案は、例えば、競技会などの各種のイベント等において、表彰物又は贈り物として用いることができる記念品に関する。
【背景技術】
【０００２】
競技会などの各種のイベントにおいて、カップ、トロフィー又は楯等の記念品が、参加者又は優秀な成績を収めた者に贈られている。また、結婚、長寿及び出産などの各種の記念日などに、記念品が贈られることがある。このような記念品の一例として、下記の非特許文献１には、記念品本体と、該記念品本体の表面に記念事項を示す寄書き部とを備える記念品が開示されている。この記念品では、記念事項を示す寄書き部を見ることができる。
【先行技術文献】
【非特許文献】
【０００３】
【非特許文献１】登録実用新案第３１３５２８６号公報
【考案の概要】
【考案が解決しようとする課題】
【０００４】
上記非特許文献１に記載の記念品は、記念事項を示す１つの寄書き部を見ることができるように構成されているにすぎない。
【０００５】
また、これまでにないような新たな記念品が求められている。
【０００６】
本考案の目的は、従来の記念品では表示することができない、記念事項の新たな表示態様を与える記念品を提供することである。
【課題を解決するための手段】
【０００７】
本考案によれば、開口部が設けられている板状の記念品本体と、前記開口部に回転可能に取り付けられている回転板とを備え、前記回転板が、記念事項を示す表示部を両主面に有する、記念品が提供される。
【０００８】
本考案に係る記念品のある特定の局面では、前記記念品本体は、前記開口部の内周面に第１，第２の凸部又は凹部を有し、かつ前記回転板は、外周面に第１，第２の凹部又は凹部を有し、前記回転板が回転する際の回転軸の軸方向の両側に、前記記念品本体の第１，第２の凸部又は凹部と、前記回転板の第１，第２の凹部又は凸部とが配置されており、前記回転板が回転可能であるように、前記記念品本体の第１，第２の凸部又は凹部が、前記回転板の第１，第２の凹部又は凸部にそれぞれ挿入されている。
【０００９】
本考案に係る記念品の他の特定の局面では、底部材がさらに備えられており、前記記念品本体が、前記底部材から上方にのびるように前記底部材に接続されている。
【００１０】
本考案に係る記念品のさらに他の特定の局面では、前記底部材が水平面上に置かれたときに、前記記念品本体は、前記開口部の上方の内周面に第１の凸部又は凹部と、前記開口部の下方の内周面に第２の凸部又は凹部とを有し、かつ前記回転板は、上方の外周面に第１の凹部又は凸部と、下方の外周面に第２の凹部又は凸部とを有し、前記回転板が回転する際の回転軸の軸方向の両側に、前記記念品本体の第１，第２の凸部又は凹部と、前記回転板の第１，第２の凹部又は凸部とが配置されており、前記回転板が回転可能であるように、前記記念品本体の第１，第２の凸部又は凹部が、前記回転板の第１，第２の凹部又は凸部にそれぞれ挿入されている。
【００１１】
本考案に係る記念品のさらに別の特定の局面では、前記記念品本体は、記念事項を示す表示部を少なくとも一方の主面に有する。
【考案の効果】
【００１２】
本考案では、記念品本体の開口部に回転板が回転可能に取り付けられており、該回転板が記念事項を示す表示部を両主面に有するので、両主面に施された２つの記念事項を、回転板を回転させるだけで容易に表示することができる。
【図面の簡単な説明】
【００１３】
【図１】図１は、本考案の一実施形態に係る記念品を示す正面図である。
【図２】図２は、本考案の一実施形態に係る記念品を示す背面図である。
【図３】図３は、本考案の一実施形態に係る記念品を示す側面図である。
【図４】図４は、本考案の一実施形態に係る記念品を示す斜視図である。
【図５】図５は、本考案の一実施形態に係る記念品の回転板を回転させるときの状態を示す斜視図である。
【考案を実施するための形態】
【００１４】
以下、図面を参照しつつ、本考案の具体的な実施形態を説明することにより本考案を明らかにする。
【００１５】
図１〜４に、本考案の一実施形態に係る記念品をそれぞれ、正面図、背面図、側面図及び斜視図で示す。
【００１６】
図１〜４に示す記念品１は、底部材２と、板状の記念品本体３と、回転板４とを備える。回転板４は板状である。
【００１７】
底部材２は板状である。底部材２は板状以外の形状であってもよい。記念品１は底部材２を備えるので、例えばテーブル又は棚上に、記念品１を容易に置くことができる。
【００１８】
底部材２、記念品本体３及び回転板４を構成する材料は、後述の表示部３Ａ，４Ａ，４Ｂを除いて、金属である。表示部３Ａ，４Ａ，４Ｂを構成する材料は、樹脂である。底部材２、記念品本体３及び回転板４を構成する材料としては、特に限定されず、金属、樹脂、木材又はガラス等が挙げられる。
【００１９】
記念品本体３は、底部材２の端部２ａに連なるように接続されている。記念品本体３は、底部材２の中央の領域に接続されていてもよい。また、底部材２と記念品本体３とは、同一の部材により一体的に形成されている。底部材２と記念品本体３とが一体的に形成されている場合には、底部材２と記念品本体３とを、例えば曲げ加工などの成形加工等により容易に形成できる。ただし、底部材２と記念品本体３とは、別の部材により形成されていてもよい。
【００２０】
記念品本体３は、記念品１の正面側に第１の主面３ａと、記念品１の背面側に第２の主面３ｂとを有する。底部材２が鉛直面と垂直な水平面上に置かれたときに、記念品本体３は、斜め上方にのびるように底部材２に接続されている。従って、記念品本体３の両主面３ａ，３ｂは傾斜面である。記念品本体３の両主面３ａ，３ｂが傾斜面である場合には、回転板４に設けられた表示部４Ａ，４Ｂを容易に見ることができる。なお、記念品本体３は、真上にのびるように底部材２に接続されていてもよい。すなわち、記念品本体３の両主面３ａ，３ｂが鉛直面と平行になるように、記念品本体３が底部材３に接続されていてもよい。
【００２１】
記念品本体３の両主面３ａ，３ｂは傾斜面である。底部材２が水平面上に置かれたときに、記念品本体３の第１，第２の主面３ａ，３ｂと鉛直面とのなす角度、すなわち図３に示す角度θは５〜４５度の範囲内であることが好ましく、１０〜４０度の範囲内であることがより好ましい。上記角度θがこれらの好ましい範囲内にある場合には、斜め上方から、回転板４に設けられた表示部４Ａ，４Ｂをより一層容易に見ることができる。
【００２２】
記念品本体３は開口部３ｃを有する。開口部３ｃに、回転板４が回転可能に取り付けられている。底部材２が水平面上に置かれたときに、記念品本体３は、開口部３ｃの上方の内周面に第１の凸部３ｄと、開口部３ｃの下方の内周面に第２の凸部３ｅとを有する。回転板４が回転する際の回転軸の軸方向の両側に、記念品本体３の第１，第２の凸部３ｄ，３ｅが配置されている。また、底部材２が水平面上に置かれたときに、回転板４は、上方の外周面に第１の凹部４ｃと、下方の外周面に第２の凹部４ｄとを有する。回転板４が回転する際の回転軸の軸方向の両側に、回転板４の第１，第２の凹部４ｃ，４ｄが配置されている。回転板４が回転可能であるように、回転軸の軸方向の上方側において第１の凸部３ｄが第１の凹部４ｃに挿入されており、回転軸の軸方向の下方側において第２の凸部３ｅが第２の凹部４ｄに挿入されている。第１，第２の凸部３ｄ，３ｅが第１，第２の凹部であり、かつ第１，第２の凹部４ｃ，４ｄが第１，第２の凸部であってもよい。
【００２３】
図５に示すように、第１，第２の凸部３ｄ，３ｅを結ぶ方向に、回転板４は回転軸Ａを有する。回転軸Ａを軸心として、矢印Ｘを付して示す方向に、回転板４を回転させることができる。すなわち、平面視において、回転板４の外周側面が円を描くように、回転板４が回転可能である。矢印Ｘを付して示す方向に回転板４が回転可能である場合には、回転板４の重みと重力とにより、回転板４が意図せずに回転するのを抑制することができる。
【００２４】
なお、回転板４は、開口部３ｃに回転可能に取り付けられていればよく、回転板４の取り付け方法は特に限定されない。また、第１，第２の凸部３ｄ，３ｅの第１，第２の凹部４ｃ，４ｄへの挿入方法は特に限定されない。取り付け方法としては、第１，第２の凸部３ｄ，３ｅを加工又は変形しつつ、第１，第２の凹部４ｃ，４ｄに挿入する方法、第１，第２の凸部３ｄ，３ｅを第１，第２の凹部４ｃ，４ｄに挿入するように、２つの回転板構成部材を貼り合せて回転板４を構成する方法、並びに回転板４をたわませて、第１，第２の凸部３ｄ，３ｅを第１，第２の凹部４ｃ，４ｄに挿入する方法等が挙げられる。
【００２５】
また、回転板４は、開口部３ｃに回転可能に取り付けられていればよく、回転板４の開口部３ｃへの取り付け位置は特に限定されない。例えば、記念品１を正面からみたときに、開口部３ｃの左側の内周面と右側の内周面とに回転板４が取り付けられていてもよい。記念品１を正面から見たときに、記念品本体３が、開口部３ｃの左側の内周面に第１の凸部又は凹部と、開口部３ｃの右側の内周面に第２の凸部又は凹部とを有し、更に回転板４が、左側の外周面に第１の凹部又は凸部と、右側の外周面に第２の凹部又は凸部とを有し、回転板４が回転可能であるように、記念品本体３の第１，第２の凸部又は凹部が、回転板４の第１，第２の凹部又は凸部にそれぞれ挿入されていてもよい。
【００２６】
回転板４は、第１の主面４ｂと、第２の主面４ｂとを有する。回転板４は、記念事項を示す表示部４Ａ，４Ｂを両主面４ａ，４ｂに有する。本実施形態では、サッカーの競技大会で活躍した選手を表彰するための装飾が、回転板４の両主面４ａ，４ｂに施されている。第１の主面４ａ側の表示部４Ａには、記念事項としてのサッカーのユニホームの前面が描かれている。第２の主面４ｂ側の表示部４Ｂには、記念事項としてサッカーのユニホームの背面が描かれている。表示部４Ａ，４Ｂに施される記念事項は、絵柄であってもよく、文字であってもよく、絵柄と文字との双方であってもよい。
【００２７】
開口部３ａよりも下方において、記念品本体３は表示部３Ａを、正面側である第１の主面３ａに有する。表示部３Ａには、記念事項を示す文字が記載されている。具体的には、表示部３Ａには、サッカー競技会の日付、サッカーチームの名前及び表彰者の名前が記載されている。回転板４の表示部４Ａ，４Ｂとは別に、記念品本体３は表示部３Ａを、少なくとも一方の主面に有することが好ましい。記念品本体３は表示部を、背面側である第２の主面３ｂに有していてもよい。
【００２８】
表示部３Ａ，４Ａ，４Ｂに施されている記念事項は、記念となる内容を示すものであれば特に限定されない。例えば、競技会などの各種のイベント、並びに結婚、長寿及び出産などの各種の記念日などに関連する記念事項が、表示部３Ａ，４Ａ，４Ｂに施される。
【００２９】
記念品１は、例えば、表彰物又は贈り物等として用いることができる。また、記念品１は、置物又は楯等として用いることができる。
【符号の説明】
【００３０】
１…記念品
２…底部材
２ａ…端部
３…記念品本体
３ａ…第１の主面
３ｂ…第２の主面
３ｃ…開口部
３ｄ…第１の凸部
３ｅ…第２の凸部
３Ａ…表示部
４…回転板
４ａ…第１の主面
４ｂ…第２の主面
４ｃ…第１の凹部
４ｄ…第２の凹部
４Ａ，４Ｂ…表示部
【図１】
0003151361.tif 000003
【図２】
0003151361.tif 000004
【図３】
0003151361.tif 000005
【図４】
0003151361.tif 000006
【図５】
0003151361.tif 000007